(57)【要約】      （修正有）【課題】レギュラーコーヒー本来の旨みを逃すことなく、抽出からコーヒー用ドリップバッグを廃棄するまで、手を汚さず、熱傷の危険にさらされることなく作業を簡単にできるコーヒー用ドリップバッグホルダーを提供する。【解決手段】コーヒー用ドリップバッグを掛けるための上のバーｂ−ｃ、ｋ−ｌと、容器に乗せるための下のバーｈ−ｉ、ｆ−ｅを設け、上のバーと下のバーを連結し適正な上下の間隔を保ち、直接コーヒー用ドリップバッグに触れず処分する為に、下のバーを左右対称の形にＵ字型に連結し、片方を開放状態としたことを特徴とする。【選択図】図１
0003196827.tif 000002
【実用新案登録請求の範囲】
【請求項１】
コーヒー用ドリップバッグを掛けるための上のバーと、容器に乗せるための下のバーを有し、上のバーと下のバーが連結され、下のバーは左右対称の形でＵ字方に連結されていることを特徴とするコーヒー用ドリップバッグホルダー。
【請求項２】
前記容器の径に合わせて使用しやすくするために、下のバーに滑り止めを装着したことを特徴とする、請求項１に記載の、コーヒー用ドリップバッグホルダー。
【請求項３】
滑り止めは、下のバーの直線部分の範囲内で移動を可能とし、容器から脱落しない様に微調整できる事を特徴とする、請求項２に記載のコーヒー用ドリップバッグホルダー。
【請求項４】
上のバーは、凹型の弓型の形状とし、抽出中にコーヒー用ドリップバッグが中心からずれ難い形状としたことを特徴とする、請求項１．請求項２．請求項３に記載のコーヒー用ドリップバッグホルダー。
【請求項５】
下側のＵ字連結部の反対側を開放状態とすることにより、抽出済みコーヒー用ドリップバッグの処理が容易に出来るようにした事を特徴とする、請求項１、請求項２、請求項３，請求項４に記載のコーヒー用ドリップバッグホルダー。
【考案の詳細な説明】
【技術分野】
【０００１】  この考案は、市販のコーヒー用ドリップバッグを使用し、本来のコーヒーの味を、より簡単に、更に安全に楽しむ為の物である。
【背景技術】
【０００２】  現在市販されているコーヒー用ドリップバッグは、容器の縁に直接掛けて使用するため、コーヒードリップバッグの底の部分が抽出済みのコーヒー液に浸かる。そのためコーヒー本来の味を楽しめない。
更に、コーヒー用ドリップバッグを処理する際は、液だれにより周囲を汚し、熱傷の危険性もある。
【考案の概要】
【考案が解決しようとする課題】
【０００３】  現在、容器の縁に直接掛けて湯を注ぐ方法のコーヒー用ドリップバッグが市販されているが、コーヒー用ドリップバッグを直接カップの縁に掛ける方式のため、全体的に位置が低く、底の部分が抽出済みのコーヒーの液の中に浸かってしまい、本来分離されなければならないはずの雑味が、抽出済みのコーヒー液に混ざってしまう。その為本来のコーヒーの味が楽しめない。
また、コーヒー用ドリップバッグの底の部分がコーヒー液に浸っているため、抽出済みのコーヒー用ドリップバッグを廃棄する際も液垂れが生じ、周囲が汚れ、熱傷の危険性さえある。
従って課題は、レギュラーコーヒー本来の旨みを逃すことなく、抽出からコーヒー用ドリップバッグを廃棄するまで、手を汚さず、熱傷の危険にさらすことなく作業を簡単にすることである。
【課題を解決するための手段】
【０００４】  コーヒー用ドリップバッグの底の部分とコーヒー液面を接触させないために、コーヒー用ドリップバッグそのものを適正レベルまで持ち上げる。
さらにコーヒー用ドリップバッグホルダーの一部を開放することにより、使用済みのコーヒー用ドリップバッグの廃棄を簡単にする。
【考案の効果】
【０００５】  市販のコーヒー用ドリップバッグを使用し、レギュラーコーヒー本来の旨みを味わうことが出来た。更にコーヒー用ドリップバッグの廃棄に際しても液垂れが無く、周囲を汚さずに済んだ。
直接手で触れないため熱傷の危険性も無かった。
【図面の簡単な説明】
【図１】コーヒー用ドリップバッグホルダーの俯瞰図。
【図２】コーヒー用ドリップバッグホルダーを使用し、コーヒー用ドリップバッグをセットした使用例。
【考案を実施するための形態】
【０００６】上のバー（ｂ−ｃ及びｋ−ｌ）は、コーヒード用リップバッグを掛け、固定する箇所であり、抽出中のコーヒード用リップバッグの開口部を最高の状態に保つ機能を有する。
【０００７】  下のバー（ｆ−ｅ及びｈ−ｉ）は、容器に直接乗せる部分であり、使用中にコーヒード用リップバッグの横への振れを防止する機能を併せ持つ。
【０００８】  上下の連結部（ｅ−ｄ及びｉ−ｊ）は、上のバーと下のバーを連結する部分であり、更に、コーヒード用リップバッグの底の部分とコーヒーの液面が接触することを防止する為の適正な高さを保持する機能を有する。
【０００９】  上のバーを中心とした角度（ａ−ｂ−ｃ及びｂ−ｃ−ｄ）（ｍ−ｌ−ｋ及びｊ−ｋ−ｌ）は、使用中のコーヒード用リップバッグを、その中心に保つ機能とずれを防止し、安定させるための機能を有する。
【００１０】  ｆ−ｇ−ｈは、ｇを中心とし、コーヒード用リップバッグホルダー全体を連結する部分であり、左右の間隔を等間隔に保つ機能を有する。
【００１１】  各ｎは可動式であり、コーヒード用リップバッグホルダーを使用する際、事前にスライドさせ、容器の中心とコーヒード用リップバッグホルダーの中心が重なるようにセットする事で全体のバランスをたもち、コーヒー用ドリップバッグホルダーが容器から脱落することを防止する機能を有する。
【００１２】  ａ又はｍは、抽出終了後コーヒード用リップバッグを廃棄する際に摘む箇所であり、ａ又はｍを摘み、廃棄場所まで運び、ｄ−ｅ及びｉ−ｊ側を下に傾け、滑らせることにより、使用済みのコーヒード用リップバッグを簡単に安全に廃棄できる機能を有する。
【実施例】
【００１３】  予め（ｎ）を微調整の後、本考案のコーヒー用ドリップバッグホルダーを容器にセットし、市販のコーヒー用ドリップバッグを上側のバーに掛け、使用してみたが、液面にコーヒー用ドリップバッグが振れることが無いため、コーヒー本来の味を楽しむことが出来た。
また使用後のコーヒー用ドリップバッグも、先端ａまたはｍを摘み廃棄することで手や周囲を汚すことも無かった。
また、市販の空のコーヒー用ドリップバッグに、自分の好みのレギュラーコーヒーを入れて、同様に楽しむことも出来た。
【産業上の利用可能性】
【００１４】  コーヒー用ドリップバッグホルダーを容器にセットし、抽出したら、終了の時点でコーヒーの液面にコーヒー用ドリップバッグの底が触れていない為、コーヒーショップと同等のコーヒーを味わうことが出来る。
コーヒーの粉を予め詰めた市販のコーヒー用ドリップバッグは勿論のこと、空のドリップバッグに好みのレギュラーコーヒーを詰めて使用することが出来、抽出終了後は手を汚さず、簡単にコーヒー用ドリップバッグの廃棄が出来る。
以上のことから、問題があるためこれまで低迷していたコーヒー用ドリップバッグの売れ行きが、問題が解決されたために伸び、また空のドリップバッグに好みのレギュラーコーヒー入れて楽しむことが出来るため、レギュラーコーヒーの消費量が増えることも期待できる。
手を汚さずにコーヒーを楽しむことが出来るため、家庭のみならずオフィスでの利用も増えると予測される。
【符号の説明】
【００１５】１．ａおよびｍ
弓状の先端部分。コーヒー用ドリップバッグを廃棄する際摘む部分。
２．ａ−ｂ−ｃ及びｍ−ｌ−ｋとｂ−ｃ−ｄ及びｊ−ｋ−ｌ
この角度は、コーヒー用ドリップバッグが上のバーのセンターからずれないように固  定し、更に廃棄に際しても扱い易くするための角度である。
３．ｂ−ｃおよびｋ−ｌ
コーヒー用ドリップバッグを掛けるための上のバー。
４．ｈ−ｉおよびｆ−ｅ
容器に直接乗せるための下のバーであり、コーヒー用ドリップバッグの横への振れを  防止する機能を併せ持つ。
５．ｎ
可動式の滑り止めであり、使用する容器のサイズに合わせ、ｅ−ｆ間およびｈ−ｉ間  で微調整する。
【図１】
0003196827.tif 000003
【図２】
0003196827.tif 000004